(57)【要約】      （修正有）【課題】ハンドルブレーキ式キャスター装置のロック構造を提供する。【解決手段】伸縮ハンドル０２の底端部に対応した位置に、一つのスイング式プッシュユニット２０を備えてなり、該スイング式プッシュユニット２０は、プッシュされ側、プッシュ側と回転支軸２３を備えてなり、キャスター装置之キャスター１２の片側に設けられる円形歯盤３０が備わり、キャスター台座に設けられ、上端側と嵌込側を備えてなる嵌込式ロックフレーム４０が備えられ、該嵌込側は、位置決め縁と対応するための嵌込部が設けられており、スイング式プッシュユニット２０のプッシュ側と嵌込式ロックフレーム４０の上端側との間に横向き連動ユニット５０が備えられ、スイング式プッシュユニット２０のプッシュ側は、横向き連動ユニット５０の押され側に突き当て、嵌込式ロックフレーム４０の上端側は、斜導面に接触し、更に、該嵌込式ロックフレーム４０を、元の位置に戻らせるためのリセットユニット６０が設けられ、キャスター装置１０が確実にロックされる。【選択図】図６
0003176002.tif 000002
【実用新案登録請求の範囲】
【請求項１】
ハンドル式移動キャリア０１の伸縮ハンドル０２とキャスター装置１０の間に設けられ、それによって、該キャスター装置１０のロックとロック解除を制御するように設けられており、該キャスター装置１０は、キャスター台座１１と、該キャスター台座１１の底端部にあるキャスター１２を備えてなり、  該ハンドルブレーキ式キャスター装置のロック構造Ａは、  
少なくとも、該ハンドル式移動キャリア０１の伸縮ハンドル０２の底端部に対応したところに、一つのスイング式プッシュユニット２０を備えてなり、該スイング式プッシュユニット２０は、プッシュされ側２１、プッシュ側２２、及びプッシュされ側２１とプッシュ側２２との間にある回転支軸２３を備えてなり、該プッシュされ側２１は、伸縮ハンドル０２の底端部に突き当てるように設けられており、
同軸に配置され、該キャスター装置１０のキャスター１２の片側に設けられる円形歯盤３０が備えられ、該円形歯盤３０は仕切るため、間隔を開けて輪になって並ぶ位置決め縁３１が設けられており、
該キャスター台座１１に縦向きで設けられ、上下に作動できるように設けられた嵌込式ロックフレーム４０が備えられ、該嵌込式ロックフレーム４０は、上端側４１と嵌込側４２を備えてなり、該上端側４１は、キャスター台座１１にはみ出すように設けられ、該嵌込側４２は、間隔を開けて、円形歯盤３０の位置決め縁３１と対応するための嵌込部４３が設けられ、
スイング式プッシュユニット２０のプッシュ側２２と嵌込式ロックフレーム４０の上端側４１との間に横向きで設けられ、押され側５１と斜導面５２を備えてなる横向き連動ユニット５０が備えられ、該スイング式プッシュユニット２０のプッシュ側２２は、横向き連動ユニット５０の押され側５１に突き当て、嵌込式ロックフレーム４０の上端側４１は、斜導面５２に張り合わせるように接触しており、
該嵌込式ロックフレーム４０に対応したところには、該嵌込式ロックフレーム４０をフレキシブルに、上に向けて元の位置に戻らせるためのリセットユニット６０が設けられ、それにより、該伸縮ハンドル０２が下へスイング式プッシュユニット２０に押し付けると、横向き連動ユニット５０が押し動かされ、それに続いて、嵌込式ロックフレーム４０が下へ移動し、嵌込式ロックフレーム４０の嵌込部４３が円形歯盤３０の位置決め縁３１に嵌め込むように設けられていることを特徴とするハンドルブレーキ式キャスター装置のロック構造。
【請求項２】
該横向き連動ユニットは更に、第二リセットユニットが設けられ、それにより、横向き連動ユニット５０がスイング式プッシュユニット２０のプッシュ側２２に対して、フレキシブルに元の位置に戻すための力を持つように設けられていることを特徴とする請求項１に記載のハンドルブレーキ式キャスター装置のロック構造。
【請求項３】
該横向き連動ユニット５０は更に、横向き距離調整ユニット５４が設けられるが、該横向き距離調整ユニット５４は、歯形溝５５と歯形ブロック５６を備えてなり、該歯形ブロック５６は側方から歯形溝５５の局所部分に差し込み、互いに噛み合って、横向きに位置決めが行われることで、横向き連動ユニット５０の長さが調整されることを特徴とする請求項１または２に記載のハンドルブレーキ式キャスター装置のロック構造。
【請求項４】
該伸縮ハンドル０２はダブルバー形式で、伸縮ハンドル０２の底端部に対応したところにはそれぞれ、一スイング式プッシュユニット２０が設けられ、または該伸縮ハンドル０２はシングルバー形式で、該伸縮ハンドル０２の底端部に対応したところには、二スイング式プッシュユニット２０が設けられていることを特徴とする請求項１に記載のハンドルブレーキ式キャスター装置のロック構造。
【請求項５】
該嵌込式ロックフレーム４０の嵌込部４３は、嵌込式ロックフレーム４０の嵌込側４２の片側にあるバンプ４３１からなるものであることを特徴とする請求項１に記載のハンドルブレーキ式キャスター装置のロック構造。
【考案の詳細な説明】
【技術分野】
【０００１】
本考案は、ハンドルブレーキ式キャスター装置のロック構造に関わり、特に、伸縮ハンドルのギャップを変更せず、各種の大小サイズのハンドル式移動キャリアに対応可能なロック構造に関する。
【背景技術】
【０００２】
スーツケースやキャリアケースのキャスター装置は設計上、転がりやすく、順調に移動できるように求められているが、そこで、キャリアケースの使用中に幾つかの問題が存在しており、例えば、使用者が携帯電話で他人とお喋りしたり、物を手にしたりなどしているとき、キャリアケースを手にしない状況で、斜面や滑った地面に置かれると、キャリアケースが地面に沿ってそのまま滑り出して、他の所へ移動し、または、他人にぶつかるなどして、転倒したり、不測の事故が生じたりするおそれがある。
【０００３】
それを鑑みて、関連業界で幾つかのスーツケースが開発され、それに対応するスーツケースのキャスター装置ロック（またはブレーキとも言われる）構造が設けられているが、しかし、従来の関連構造の設計にはやはり、幾つかの問題点や欠点が残されている。伸縮ハンドルの底端部に押し付けるためのロック部品が設けられ、それにより、キャスター装置に直接に突き当てるという従来の構造形態から言えば、そのような形態は、小さいサイズのスーツケースやキャリアケースのみに適用するもので、このような形態は、二伸縮ハンドルの底端部の位置は、キャスター装置の位置の上下に対応するように設けられているところが特色であり、大きいサイズのスーツケースやキャリアケースでは、二伸縮ハンドルのギャップはケース体（またはボティ）の幅と同じ幅に設けられた場合、二伸縮ハンドルの上部側の取ってに幅が大きすぎて、見た目が悪く、引く部品のストロークが長く、伝動力にマイナスな影響を与えるなどの問題点があること、まれに、ロック效果から言えば、従来のキャスター装置のロック構造は設計上、最終的に、キャスター装置の位置決めが行われるように設けられており、通常は、キャスター装置の周縁に突き当てるように設けられるが、そのような方法と構造形態は、他の部品やキャスター装置の周辺に突き当てて、磨耗が起こりやすく、ロック效果や、キャスター装置が早く転がることに対するマイナスな影響を与えることで、理想的で実用性のある構造形態とは言えない。
【０００４】
それゆえ、上述の従来のハンドルブレーキ式キャスター装置のロック構造に存在している問題点について、理想的で実用性のあるオリジナルな構造を開発するのが、関連業者が努力すべき目標と方向でもある。
【０００５】
それを鑑みて、発明者は、関連製品の製造や開発、設計に関する長年の経験を持っており、上述の目標について、詳しく設計、慎重に評価したうえ、ようやく実用性のある本考案を開発した次第である。
【考案の概要】
【考案が解決しようとする課題】
【０００６】
本考案は、ハンドルブレーキ式キャスター装置のロック構造を提供することを目的とし、解決しようとする課題は、従来のものを改良して、より理想的で実用性のある新しいハンドルブレーキ式キャスター装置のロック構造を開発することにある。
【課題を解決するための手段】
【０００７】
ハンドル式移動キャリアの伸縮ハンドルとキャスター装置の間に設けられ、それによって、該キャスター装置のロックとロック解除を制御するように設けられており、該キャスター装置は、キャスター台座と、該キャスター台座の底端部にあるキャスターを備えてなる該ハンドルブレーキ式キャスター装置のロック構造であり、
本考案の課題を解決しようとする技術特徴として、該ハンドルブレーキ式キャスター装置のロック構造は少なくとも、該ハンドル式移動キャリアの伸縮ハンドルの底端部に対応したところに、一つのスイング式プッシュユニットを備えてなり、該スイング式プッシュユニットは、プッシュされ側とプッシュ側、及びプッシュされ側とプッシュ側との間にある回転支軸を備えてなり、該プッシュされ側は、伸縮ハンドルの底端部に突き当てるように設けられており、同軸に配置され、該キャスター装置のキャスター片側に設けられる円形歯盤が備えられ、該円形歯盤係は仕切るために、間隔を開けて輪になって並ぶ位置決め縁が設けられているが、該キャスター台座に縦向きで設けられ、上下に作動できるように設けられた嵌込式ロックフレームが設けられ、該嵌込式ロックフレームは、上端側と嵌込側を備えてなり、該上端側は、キャスター台座にはみ出すように設けられ、該嵌込側は間隔を開けて、円形歯盤の位置決め縁と対応するための嵌込部が設けられており、スイング式プッシュユニットのプッシュ側と嵌込式ロックフレームの上端側との間に横向きで設けられ、押され側と斜導面を備えてなる横向き連動ユニットが備えられ、該スイング式プッシュユニットのプッシュ側は、横向き連動ユニットの押され側に突き当て、嵌込式ロックフレームの上端側は、斜導面に張り合わせるように接触しており、該嵌込式ロックフレームに対応したところには、該嵌込式ロックフレームをフレキシブルに、上に向けて元の位置に戻らせるためのリセットユニットが設けられるようになされているので、本考案は背景技術に比べて、該伸縮ハンドルを下へスイング式プッシュユニットに押し付けると、横向き連動ユニットが押し動かされ、それに続いて、嵌込式ロックフレームが下へ移動し、嵌込式ロックフレームの嵌込部が円形歯盤の位置決め縁に嵌め込むように設けられているから、伸縮ハンドルのギャップを変更せずに、各種の大小サイズのハンドル式移動キャリアに対応可能になり、磨耗が全く起こらない状況で、キャスター装置が確実にロックされるという実用性、進歩性を有していることを特徴とする。
【考案の効果】
【０００８】
本考案による効果向上の事実は次の通り。  
本考案に掲示した“ハンドルブレーキ式キャスター装置のロック構造”は、スイング式プッシュユニット、円形歯盤、嵌込式ロックフレーム、横向き連動ユニットとリセットユニットを備えてなるもので、［背景技術］の従来の構造に比べて、該伸縮ハンドルが下へスイング式プッシュユニットに押し付けると、横向き連動ユニットが嵌込式ロックフレームを下へ移動させるように押し動かして、嵌込式ロックフレームの嵌込部が円形歯盤の位置決め縁に嵌め込むように設けられているから、伸縮ハンドルのギャップを変更しなくても、ハンドルブレーキ式キャスター装置のロックが、各種の大小サイズのハンドル式移動キャリアに対応可能になり、磨耗が全く起こらない状況で、キャスター装置が確実にロックされるという実用性、進歩性を有している。
【０００９】
本考案により次のような新しい効果がある。  
横向き連動ユニットには更に、横向き距離調整ユニットが設けられるという構造により、横向き連動ユニットがハンドル式移動キャリアのサイズに合わせて、横向き連動ユニットの長さを増長や短縮するように調整されるから、各種のサイズの横向き連動ユニットの製造は不要で、コストが大幅に削減できるという実用性、進歩性がある。
【００１０】
上述した実施例に掲示したのは、本考案を具体的に説明するために用いられる内容であり、文の中で専門用語で説明してきたが、それを以って本考案の特許請求範囲を制限してはならず、当業者が本考案のコンセプトや考えに基づき、その変化や改造などを行って、それと同等な効果を得たとしても、すべて本考案の特許請求範囲に含まれるものとする。
【図面の簡単な説明】
【００１１】
【図１】本考案がハンドル式移動キャリアの伸縮ハンドルとキャスター装置との間に設けられているときの立体組立図。
【図２】本考案とキャスター装置との立体組立拡大図。
【図３】本考案のハンドルブレーキ式キャスター装置のロック構造の立体組立透視図。
【図４】本考案の嵌込式ロックフレームとキャスター装置との立体組立拡大図．
【図５】本考案の伸縮ハンドルがスイング式プッシュユニットへ押し付けていないときの平面断面図。
【図６】本考案の伸縮ハンドルが下へスイング式プッシュユニットに押し付けているときの作動イメージ。
【図７】本考案の横向き連動ユニットに横向き距離調整ユニットが設けられている実施例図。
【図８】本考案の横向き距離調整ユニットにより横向き連動ユニットの長さを短縮するように調整される平面イメージ。
【図９】本考案の伸縮ハンドルはシングルバー形式に設けられている実施例図。
【考案を実施するための形態】
【００１２】
図１〜図８に示すのは、本考案のハンドルブレーキ式キャスター装置のロック構造の好適な実施例であり、ハンドル式移動キャリア０１の伸縮ハンドル０２とキャスター装置１０のとの間に設けられ（図１）、それにより、該キャスター装置１０のロックとロック解除を制御するように設けられるもので、該キャスター装置１０は、キャスター台座１１と、該キャスター台座１１の底端部にあるキャスター１２を備えている。該ハンドルブレーキ式キャスター装置のロック構造Ａは、
少なくとも、該ハンドル式移動キャリア０１の伸縮ハンドル０２の底端部に対応したところに、一つのスイング式プッシュユニット２０を備えてなり、該スイング式プッシュユニット２０は、プッシュされ側２１、プッシュ側２２、及びプッシュされ側２１とプッシュ側２２との間にある回転支軸２３を備えてなり、該プッシュされ側２１は、伸縮ハンドル０２の底端部に突き当てるように設けられている。
【００１３】
同軸に配置され、該キャスター装置１０のキャスター１２の片側に設けられる円形歯盤３０が備わり、該円形歯盤３０は仕切るため、間隔を開けて輪になって並ぶ位置決め縁３１が設けられており、
該キャスター台座１１に縦向きで設けられ、上下に作動できるように設けられた嵌込式ロックフレーム４０が設けられ、該嵌込式ロックフレーム４０は、上端側４１と嵌込側４２を備えてなり、該上端側４１は、キャスター台座１１にはみ出すように設けられ、該嵌込側４２は、間隔を開けて、円形歯盤３０の位置決め縁３１と対応するための嵌込部４３が設けられている。
【００１４】
スイング式プッシュユニット２０のプッシュ側２２と嵌込式ロックフレーム４０の上端側４１との間に横向きで設けられ、押され側５１と斜導面５２を備えてなる横向き連動ユニット５０が設けられ、該スイング式プッシュユニット２０のプッシュ側２２は、横向き連動ユニット５０の押され側５１に突き当て、嵌込式ロックフレーム４０の上端側４１は、斜導面５２に張り合わせるように接触している。
【００１５】
該嵌込式ロックフレーム４０に対応したところには、該嵌込式ロックフレーム４０をフレキシブルに、上に向けて元の位置に戻らせるためのリセットユニット６０が設けられている。
【００１６】
図３、図５に示すように、該横向き連動ユニット５０は更に、第二リセットユニット５３が設けられて、それにより、横向き連動ユニット５０がスイング式プッシュユニット２０のプッシュ側２２に対して、フレキシブルに元の位置に戻すための力を持つように設けられるが、該リセットユニット６０と第二リセットユニット５３は、スプリングに設けられてもよい。
【００１７】
図７に示すように、該横向き連動ユニット５０は更に、横向き距離調整ユニット５４が設けられるが、該横向き距離調整ユニット５４は、歯形溝５５と歯形ブロック５６を備えてなり、該歯形ブロック５６は側方から歯形溝５５の局所部分に差し込み、互いに噛み合って、横向きに位置決めが行われるが、該ハンドル式移動キャリア０１のサイズにより、伸縮ハンドル０２とキャスター装置１０との間の距離に影響する（図１）ことから、該横向き連動ユニット５０により、横向き連動ユニット５０がハンドル式移動キャリア０１のサイズに合わせて、歯形ブロック５６が歯形溝５５へ差し込む部分が調整され、横向き連動ユニット５０の長さの増長や短縮が可能になるため、異なるサイズの横向き連動ユニット５０の製造は不要で、コスト削減になる。図８に示すのは、横向き距離調整ユニット５４により、横向き連動ユニット５０の長さを短縮するように調整される状態を示す実施例図である。
【００１８】
図４に示すように、該嵌込式ロックフレーム４０の嵌込部４３は、嵌込式ロックフレーム４０の嵌込側４２の片側にあるバンプ４３１からなるものでもよい。
【００１９】
図１に示すように、該伸縮ハンドル０２はダブルバー形式で、伸縮ハンドル０２のの底端部に対応したところにはそれぞれ、一スイング式プッシュユニット２０が設けられ（図５、図６）、または、図９に示すように、該伸縮ハンドル０２はシングルバー形式で、該伸縮ハンドル０２の底端部に対応したところには、二スイング式プッシュユニット２０が設けられているが、それにより、伸縮ハンドル０２が下へスイング式プッシュユニット２０へ押し付けると、伸縮ハンドル０２の両側のキャスター装置１０がロックされることになる（図１、図２）。
【００２０】
本考案の使用、作動状況について、次に説明する。
【００２１】
図６に示すように、伸縮ハンドル０２が下へスイング式プッシュユニット２０のプッシュされ側２１へ押し付けると（矢印Ｌ１）、該スイング式プッシュユニット２０が回転支軸２３を回転支点として、スイングすることになり、それにより、スイング式プッシュユニット２０のプッシュ側２２が、横向き連動ユニット５０が嵌込式ロックフレーム４０を移動させるように押し動かし（矢印Ｌ２）、それに、横向き連動ユニット５０の斜導面５２が嵌込式ロックフレーム４０の上端側４１に対する押し当てる力が、下へ押し付ける力となり、嵌込式ロックフレーム４０が下へ移動（矢印Ｌ３）させるようにし、嵌込式ロックフレーム４０の嵌込部４３が円形歯盤３０の位置決め縁３１へ嵌め込むようになり、従って、伸縮ハンドル０２のキャップを変更せず、ハンドルブレーキ式キャスター装置のロック構造Ａは、各種の大小サイズのハンドル式移動キャリア０１に対応可能になること、そのうえ、本考案では、嵌め込みにより、キャスター装置１０がロックされるように設けられているから、従来の構造のように、キャスター装置に突き当てて生じられる磨耗などの問題はない。
【符号の説明】
【００２２】
ハンドルブレーキ式キャスター装置のロック構造  Ａ
ハンドル式移動キャリア    ０１
伸縮ハンドル                    ０２
キャスター装置                    １０
キャスター台座                     １１
キャスター                      １２
スイング式プッシュユニット          ２０
プッシュされ側                     ２１
プッシュ側                      ２２
回転支軸                        ２３
円形歯盤                        ３０
位置決め縁                      ３１
嵌込式ロックフレーム        ４０
上端側                             ４１
嵌込側                       ４２
嵌込部                          ４３
バンプ                          ４３１
横向き連動ユニット            ５０
押され側                           ５１
斜導面                          ５２
第二リセットユニット        ５３
横向き距離調整ユニット    ５４
歯形溝                             ５５
歯形ブロック                       ５６
リセットユニット                ６０
【図１】
0003176002.tif 000003
【図２】
0003176002.tif 000004
【図３】
0003176002.tif 000005
【図４】
0003176002.tif 000006
【図５】
0003176002.tif 000007
【図６】
0003176002.tif 000008
【図７】
0003176002.tif 000009
【図８】
0003176002.tif 000010
【図９】
0003176002.tif 000011